(57)【要約】【課題】この開示は、パケットデータ伝送方法に関し、狭帯域の中継路を経由した送信パケットから適正な回線信号を再現することを目的とする。【解決手段】パケット伝送装置１２は回線信号を変換した回線パケットにOAMパケットを重ねて送信する。パケットタイミング生成装置４２は、基準の回線パケットを受信した後、次に基準の回線パケットを受信するまでに送信した回線パケットおよびOAMパケットの数、並びにそれらの送信タイミングを格納した送信タイミング制御パケットを送信する。パケットタイミング再生装置４４は、回線パケットとOAMパケットをバッファに格納し、送信タイミング制御パケットを受信したら、そこに格納されている情報に従ってそれらを送信する。パケット伝送装置１６は再現された正しい周期をもつ回線パケットを回線信号に変換する。【選択図】図１
2022003741.tif 000002
【特許請求の範囲】
【請求項１】
パケット伝送ネットワークに配置されるパケットタイミング生成装置であって、
固定レートの回線信号から変換された回線パケットを基準周期で受信する処理と、
ネットワークの運営、管理または維持の機能を実現するためのOAMパケットを、前記基準周期より長い周期で受信する処理と、
前記OAMパケットを前記回線パケットの間隔に入れ込んだパケット群、並びに前記回線パケットを含むパケット群を、前記基準周期で送信するパケット送信処理と、
前記基準周期の開始時に送信タイミング制御パケットを生成する処理と、
前記送信タイミング制御パケットの生成後に送信される前記パケット群に含まれる対象パケットの数と当該対象パケット夫々の送信タイミングとに関する情報を、当該送信タイミング制御パケットに格納する処理と、
前記基準周期の終了時に、前記送信タイミング制御パケットを送信する処理と、
を実行するパケットタイミング生成装置。
【請求項２】
前記パケット伝送ネットワークは、
前記パケット群および前記送信タイミング制御パケットを伝送する送信側の広帯域中継路と、
前記広帯域中継路から、前記パケット群および前記送信タイミング制御パケットを受け取る狭帯域中継路と、
前記狭帯域中継路から、前記パケット群および前記送信タイミング制御パケットを受け取る受信側の広帯域中継路とを含み、
前記パケットタイミング生成装置は、前記狭帯域中継路より送信側に配置されている請求項１に記載のパケットタイミング生成装置。
【請求項３】
前記パケット伝送ネットワークは、MPLS-TPおよびイーサネットの少なくとも一方に対応するネットワークである請求項１または２に記載のパケットタイミング生成装置。
【請求項４】
パケット伝送ネットワークに配置されるパケットタイミング再生装置であって、
固定レートの回線信号から変換された回線パケットと、ネットワークの運営、管理または維持の機能を実現するためのOAMパケットと、対象パケットの数と当該対象パケット夫々の送信タイミングとを格納した送信タイミング制御パケットとを受信するパケット受信処理と、
受信した前記回線パケットおよび前記OAMパケットを、揺らぎ吸収バッファに格納する処理と、
受信した前記送信タイミング制御パケットから、前記対象パケットの数と当該対象パケット夫々の送信タイミングとを取得する処理と、
前記揺らぎ吸収バッファから、前記対象パケットの数に相当するパケットを、格納順序の古い方から、前記送信タイミングに従って送信するパケット送信処理と、を実行し、
前記対象パケットは、前記送信タイミング制御パケットと、当該送信タイミング制御パケットの直前に受信した送信タイミング制御パケットとの間に受信されるべき前記回線パケットおよび前記OAMパケットであるパケットタイミング再生装置。
【請求項５】
前記回線パケットおよび前記OAMパケットの送信源は、
複数の回線信号の夫々に対応して前記回線パケットおよび前記OAMパケットを生成し、
前記複数の回線信号の全てに対応する回線パケットおよびOAMパケットを含むパケット群、並びに前記複数の回線信号の全てに対応する回線パケットを含むパケット群を、基準周期で繰り返し送信し、
前記対象パケットの単位は、前記パケット群の単位と一致しており、
前記パケット送信処理は、前記基準周期で開始される請求項４に記載のパケットタイミング再生装置。  
【請求項６】
前記パケット伝送ネットワークは、
前記回線パケット、前記OAMパケットおよび前記送信タイミング制御パケットを伝送する送信側の広帯域中継路と、
前記広帯域中継路から、前記回線パケット、前記OAMパケットおよび前記送信タイミング制御パケットを受け取る狭帯域中継路と、
前記狭帯域中継路から、前記回線パケット、前記OAMパケットおよび前記送信タイミング制御パケットを受け取る受信側の広帯域中継路とを含み、
前記パケットタイミング再生装置は、前記狭帯域中継路より受信側に配置されている請求項４または５に記載のパケットタイミング再生装置。
【請求項７】
前記パケット伝送ネットワークは、MPLS-TPおよびイーサネットの少なくとも一方に対応するネットワークである請求項４乃至６の何れか１項に記載のパケットタイミング再生装置。
【請求項８】
固定レートの回線信号を変換して基準周期で回線パケットを生成するステップと、
ネットワークの運営、管理または維持の機能を実現するためのOAMパケットを、前記基準周期より長い周期で生成するステップと、
前記OAMパケットを前記回線パケットの間隔に入れ込んだパケット群、並びに前記回線パケットを含むパケット群を、前記基準周期で送信するパケット送信ステップと、
前記基準周期の開始時に送信タイミング制御パケットを生成するステップと、
前記送信タイミング制御パケットの生成後に送信される前記パケット群に含まれる対象パケットの数と当該対象パケット夫々の送信タイミングとに関する情報を、当該送信タイミング制御パケットに格納するステップと、
前記基準周期の終了時に、前記送信タイミング制御パケットを送信するステップと、
前記回線パケット、前記OAMパケットおよび前記送信タイミング制御パケットを受信するパケット受信ステップと、
受信した前記回線パケットおよび前記OAMパケットを、揺らぎ吸収バッファに格納するステップと、
受信した前記送信タイミング制御パケットから、前記対象パケットの数と当該対象パケット夫々の送信タイミングとを取得するステップと、
前記揺らぎ吸収バッファから、前記対象パケットの数に相当するパケットを、格納順序の古い方から、前記送信タイミングに従って送信するパケット送信ステップと、
を含むパケットデータ伝送方法。
【発明の詳細な説明】
【技術分野】
【０００１】
この開示は、パケットタイミング生成装置、パケットタイミング再生装置およびパケットデータ伝送方法に係り、特に、回線パケットとOAMパケットを含む送信パケットを狭小な中継経路を介して伝送する場合に有益なパケットタイミング生成装置、パケットタイミング再生装置およびパケットデータ伝送方法に関する。
【背景技術】
【０００２】
非特許文献１には、パケット伝送技術をベースにOAM（Operations，Administration and Maintenance）機能が実現可能であることが記載されている。非特許文献２には、MPLS-TP（Multi Protocol Label Switching-Transport Profile）のOAMメカニズムに関する技術標準が規定されている。また、非特許文献３には、イーサネットのOAM機能に関する技術標準が規定されている。
【０００３】
MPLSとは、パケットにラベルを付し、そのラベルに基づいてネットワーク内でパケットデータを伝送する技術である。イーサネットは、ヘッダとペイロードを含むデータをフレーム単位で送受信する技術である。これらは、何れもパケット伝送の手法として広く知られている。
【０００４】
OAM機能とは、ネットワークの運用状態を把握し、故障や性能劣化の検出、或いは故障情報の伝達等を実現する機能である。例えば、送信側から定期的に故障検出用のOAMパケットを送信し、受信側で定期的にパケットを受信することとすれば、断線、誤接続、混線などを検出することができる。
【０００５】
上述した非特許文献１には、具体的には、固定レートの回線信号を、CEP（Circuit Emulation over Packet）技術により回線パケットに変換する技術が開示されている。生成された回線パケットにはOAMパケットが重畳される。それらは混在した状態でネットワークに送信される。受信側では、送信されてきたパケット信号からOAMパケットを抜き出すことで回線パケットを再生する。再生された回線パケットは、CEP技術により回線信号に復元される。この技術によれば、回線パケットが、送信時の周期と同じ周期で受信されれば、受信側で、固定レートの回線信号を正しく再生することができる。
【先行技術文献】
【非特許文献】
【０００６】
【非特許文献１】パケットトランスポート技術を適用した専用系システムの実用化、NTTネットワークサービスシステム研究所、NTT技術ジャーナル、2016年3月、p.60-63
【非特許文献２】JT-G8113.1、パケットトランスポートネットワーク（PTN）におけるMPLS-TPのOAMメカニズム、一般社団法人情報通信技術委員会、第1版、2014年2月20日
【非特許文献３】JT-Y1731、イーサネットのOAM機能とメカニズム、社団法人情報通信技術委員会、第1版、2010年2月24日
【発明の概要】
【発明が解決しようとする課題】
【０００７】
パケット伝送ネットワークの中には、例えば衛星回線のような狭帯域の中継路が介在することがある。このような環境にOAM機能を適用した場合、送信される固定レートの回線信号が、受信側で回線信号として再生される間に下記のような信号伝達が行われる。
【０００８】
(1)固定レートの回線信号→(2)回線パケットに変換→(3)回線パケットにOAMパケットが重畳→(4)広帯域の中継路に送信→(5)狭帯域の中継路を伝送→(6)広帯域の中継路から受信→(7)送信パケットからOAMパケット分離→(8)回線パケットから固定レートの回線信号を再生
【０００９】
OAMパケットは、回線パケットに比べて発生頻度が少ない。このため、上記(3)を経て生成される送信パケットには、回線パケットだけが存在する低密度領域と、回線パケットとOAMパケットの双方が存在する高密度領域が含まれる。上記(4)の広帯域の中継路は、高密度領域の送信パケットを、帯域制限をかけることなく伝送することができる。一方、上記(5)の狭帯域の中継路は、高密度領域の送信パケットをそのまま伝送できないことがある。この場合、帯域制限によるパケットの送信待ちが生ずる。そして、高密度領域の送信パケットに間延びが生じ、高密度領域の送信パケットが、低密度領域の送信パケットと同じような密度で狭帯域の中継路を流れる事態が生ずる。
【００１０】
低密度領域の送信パケットにはOAMパケットが含まれていない。このため、低密度領域の送信パケットの間隔は、上記(7)の前後、つまり、OAMパケット分離の前後で実質的に変化しない。一方、間延びした高密度領域の送信パケットからOAMパケットが分離されると、残された回線パケットの間隔は、OAMパケット分離前の間隔のほぼ２倍となる。このため、送信パケットが狭帯域回線を経由する場合、上記(8)で処理される回線パケットには、大きな周期揺らぎが生ずることがある。
【００１１】
そして、その周期揺らぎが、上記(8)の設計に対して過大なものであれば、回線パケットを適正にデパケットすることができず、固定レートの回線信号を適正に再生できない事態が生ずる。
【００１２】
この開示は、上述のような課題を解決するためになされたもので、狭帯域の中継路を経由して伝送された場合でも、送信パケットから適正な回線信号が再現できるように、必要なパケットタイミングの情報を受信側に提供することのできるパケットタイミング生成装置を提供することを第１の目的とする。
また、この開示は、狭帯域の中継路を経由して伝送された場合でも、送信パケットから適正な回線信号が再現できるように、必要なパケットタイミングの情報を受信側において再生することのできるパケットタイミング再生装置を提供することを第２の目的とする。
また、この開示は、狭帯域の中継路を経由する場合でも、送信パケットから適正な回線信号を再現することのできるパケットデータ伝送方法を提供することを第３の目的とする。
【課題を解決するための手段】
【００１３】
この開示の第１の態様は、上記の目的を達成するため、パケット伝送ネットワークに配置されるパケットタイミング生成装置であって、固定レートの回線信号から変換された回線パケットを基準周期で受信する処理と、ネットワークの運営、管理または維持の機能を実現するためのOAMパケットを、前記基準周期より長い周期で受信する処理と、前記OAMパケットを前記回線パケットの間隔に入れ込んだパケット群、並びに前記回線パケットを含むパケット群を、前記基準周期で送信するパケット送信処理と、前記基準周期の開始時に送信タイミング制御パケットを生成する処理と、前記送信タイミング制御パケットの生成後に送信される前記パケット群に含まれる対象パケットの数と当該対象パケット夫々の送信タイミングとに関する情報を、当該送信タイミング制御パケットに格納する処理と、前記基準周期の終了時に、前記送信タイミング制御パケットを送信する処理と、を実行するパケットタイミング生成装置であることが望ましい。
【００１４】
また、第２の態様は、パケット伝送ネットワークに配置されるパケットタイミング再生装置であって、固定レートの回線信号から変換された回線パケットと、ネットワークの運営、管理または維持の機能を実現するためのOAMパケットと、対象パケットの数と当該対象パケット夫々の送信タイミングとを格納した送信タイミング制御パケットとを受信するパケット受信処理と、受信した前記回線パケットおよび前記OAMパケットを、揺らぎ吸収バッファに格納する処理と、受信した前記送信タイミング制御パケットから、前記対象パケットの数と当該対象パケット夫々の送信タイミングとを取得する処理と、前記揺らぎ吸収バッファから、前記対象パケットの数に相当するパケットを、格納順序の古い方から、前記送信タイミングに従って送信するパケット送信処理と、を実行し、前記対象パケットは、前記送信タイミング制御パケットと、当該送信タイミング制御パケットの直前に受信した送信タイミング制御パケットとの間に受信されるべき前記回線パケットおよび前記OAMパケットであるパケットタイミング再生装置であることが望ましい。
【００１５】
また、第３の態様は、固定レートの回線信号を変換して基準周期で回線パケットを生成するステップと、ネットワークの運営、管理または維持の機能を実現するためのOAMパケットを、前記基準周期より長い周期で生成するステップと、前記OAMパケットを前記回線パケットの間隔に入れ込んだパケット群、並びに前記回線パケットを含むパケット群を、前記基準周期で送信するパケット送信ステップと、前記基準周期の開始時に送信タイミング制御パケットを生成するステップと、前記送信タイミング制御パケットの生成後に送信される前記パケット群に含まれる対象パケットの数と当該対象パケット夫々の送信タイミングとに関する情報を、当該送信タイミング制御パケットに格納するステップと、前記基準周期の終了時に、前記送信タイミング制御パケットを送信するステップと、前記回線パケット、前記OAMパケットおよび前記送信タイミング制御パケットを受信するパケット受信ステップと、受信した前記回線パケットおよび前記OAMパケットを、揺らぎ吸収バッファに格納するステップと、受信した前記送信タイミング制御パケットから、前記対象パケットの数と当該対象パケット夫々の送信タイミングとを取得するステップと、前記揺らぎ吸収バッファから、前記対象パケットの数に相当するパケットを、格納順序の古い方から、前記送信タイミングに従って送信するパケット送信ステップと、を含むパケットデータ伝送方法であることが望ましい。
【発明の効果】
【００１６】
第１の態様によれば、パケット伝送ネットワークを介して、回線パケットとOAMパケットに加えて、送信タイミング制御パケットが送信される。送信タイミング制御パケットには、そのパケットに先立って送信された回線パケットおよびOAMパケットの数と、それらのパケットの正しい送信タイミングが格納されている。このため、それらのパケットが狭帯域の中継路を経由して、パケット周期にゆらぎが生じたとしても、受信側では、送信タイミング制御パケットに格納されている情報に基づいて、適正なタイミングで回線パケットを再生することができる。そして、再生される回線パケットが適正なタイミングを有するため、受信側では、揺らぎの影響を受けることなく、適正な回線信号を再現することができる。
【００１７】
第２の態様によれば、パケット伝送ネットワークを介して、回線パケットとOAMパケットに加えて、送信タイミング制御パケットを受信することができる。送信タイミング制御パケットには、当該送信タイミング制御パケットと、一つ前の送信タイミング制御パケットとの間に受信されるべき回線パケットおよびOAMパケットの数と、それらのパケットの送信タイミングが格納されている。この情報は、揺らぎ吸収バッファに格納されている送信パケットを、適正なタイミングで送信するための情報である。このため、本態様によれば、回線パケットに揺らぎが生じていたとしても、適正なタイミングを持つ回線パケットを再生することができる。また、その回線パケットによれば、適正な回線信号を再現することができる。
【００１８】
第３の態様によれば、送信側からは、回線パケットとOAMパケットに加えて送信タイミング制御パケットが送信される。また、本態様によれば、受信側では、送信タイミング制御パケットに格納されている情報に基づいて、揺らぎ吸収バッファに格納されているパケットが順次送信される。その結果、本態様によれば、受信側に到達する回線パケットに揺らぎが生じていたとしても、受信側では、適正なタイミングを持つ回線パケットを再生することができる。また、その回線パケットによれば、適正な回線信号を再現することができる。
【図面の簡単な説明】
【００１９】
【図１】本開示の実施の形態１の基本構成を示す図である。
【図２】広帯域の中継路の間に衛星回線が挟まれた環境を示す図である。
【図３】回線パケットにOAMパケットが重畳される様子を示す図である。
【図４】図４（Ａ）は回線パケットだけを含む低密度領域の送信パケットと中継路の帯域制限との関係を説明するための図である。図４（Ｂ）は回線パケットとOAMパケットの双方を含む高密度領域の送信パケットと中継路の帯域制限との関係を説明するための図である。
【図５】図５（Ａ）は狭帯域の中継路を経て伝送された低密度領域の送信パケットの一例を示す。図５（Ｂ）は狭帯域の中継路を経て伝送された高密度領域の送信パケットが、回線パケットとOAMパケットに分離される様子を示す。
【図６】本開示の実施の形態１の特徴であるパケットタイミング生成装置およびパケットタイミング再生装置を含む全体図である。
【図７】実施の形態１のパケットタイミング生成装置の機能を説明するための図である。
【図８】実施の形態１のパケットタイミング生成装置が実行する処理の手順を説明するためのフローチャートである。
【図９】実施の形態１で生成される送信タイミング制御パケットの詳細を説明するための図である。
【図１０】実施の形態１のパケットタイミング再生装置の機能を説明するための図である。
【図１１】図１１（Ａ）はパケットタイミング再生装置で処理された後の低密度領域の送信パケットの一例を示す。図１１（Ｂ）はパケットタイミング再生装置で処理された後の高密度領域の送信パケットが、回線パケットとOAMパケットに分離される様子を示す。
【図１２】実施の形態１のパケットタイミング再生装置が実行する処理の手順を説明するためのフローチャートである。
【発明を実施するための形態】
【００２０】
実施の形態１．
［実施の形態１の基本構成］
図１は、本開示の実施の形態１の基本構成を示す図である。図１の上段に示すように、本実施形態のシステムには、クライアントノード１０−ｉ（ｉは１以上の整数）が含まれている。クライアントノード１０−ｉは、固定レートの回線信号を送受信する装置であり、具体的には、各種の端末、モデム、DSU（Digital Service Unit）で構成される。
【００２１】
クライアントノード１０−ｉはパケット伝送装置１２に接続されている。尚、本明細書において「接続」とは、有線による接続の他、無線による接続も含むものとする。パケット伝送装置１２は、プロバイダーエッジルータとしても機能し、MPLS-TPネットワーク１４に接続されている。
【００２２】
図１には、MPLS-TPネットワーク１４に、パケット伝送装置１２と共に、パケット伝送装置１６が接続された状態を示している。両者の機能は実質的に同様であるが、ここでは、パケット伝送装置１２が送信側、パケット伝送装置１６が受信側である場合について説明する。
【００２３】
パケット伝送装置１６には、クライアントノード１８−ｉ（ｉは１〜ｎ）が接続されている。クライアントノード１８−ｉは、上記のクライアントノード１０−ｉと同様に、固定レートの回線信号を送受信する装置である。
【００２４】
図１の下段は、パケット伝送装置１２、１６の基本的な構成を示している。ここに示す通り、パケット伝送装置１２は、クライアントノード１０−ｉに通じる回線２０−ｉの夫々に対応するインターフェース２２−ｉを備えている。インターフェース２２−ｉは、スイッチ２４を介して、選択的にパケット伝送装置２５と接続される。
【００２５】
パケット伝送装置２５には、CEP（Circuit Emulation over Packet）機能２６と、OAM（Operations，Administration and Maintenance）機能２８とが搭載されている。CEP機能２６は、固定レートの回線信号と回線パケットとを変換する機能である。OAM機能２８は、ネットワークの運用状態を把握するためのOAMパケットを処理する機能である。OAMパケットには、故障や性能劣化の検出、故障情報の伝達等のために受信側が必要とする情報が格納される。
【００２６】
図１に示す例では、クライアントノード１０−ｉから発せられた回線信号は、インターフェース２２−ｉおよびスイッチ２４を介してパケット伝送装置２５に到達した後、CEP機能２６によって回線パケットに変換される。また、パケット伝送装置２５は、OAM機能２８によりOAMパケットを生成する。生成されたOAMパケットは、回線パケットの間に埋め込まれ、両者を含んだ送信パケットがMPLS-TPネットワーク１４に送り出される。
【００２７】
パケット伝送装置１６にはパケット伝送装置３０が搭載されている。パケット伝送装置３０には、上述したパケット伝送装置２５と場合と同様に、OAM機能３２とCEP機能３４が搭載されている。パケット伝送装置３０は、MPLS-TPネットワーク１４から送信パケットを受け取ると、そこからOAMパケットを抜き出し、残った回線パケットをCEP機能３４で処理することで固定レートの回線信号を再生する。再生された回線信号は、スイッチ３６、インターフェース３８−ｉ、回線４０−ｉを介してクライアントノード１８−ｉに伝達される。
【００２８】
図２は、MPLS-TPネットワーク１４によって実現される具体的な経路の一例を示す。この例では、送信側のパケット伝送装置１２に５台のクライアントノード１０−１〜１０−５が接続されている。同様に、受信側のパケット伝送装置１２にも、５台のクライアントノード１８−１〜１８−５が接続されている。以下、クライアントノード１０−１〜１０−５の夫々は、クライアントノード１８−１〜１８−５の夫々と通信を確立するものとする。また、クライアントノード１０−ｉおよび２０−ｉに通じる回線２０−ｉおよび４０−ｉを、必要に応じて「回線ｉ」と称する。
【００２９】
図２において、送信側のパケット伝送装置１２は、広帯域中継路１４−１と接続されている。広帯域中継路１４−１はGbE（Gigabit Ethernet）の規格に準拠し、１Gbpsでの通信に対応している。広帯域中継路１４−１は、スイッチングハブ１４−２を介して衛星回線１４−３と通じている。
【００３０】
衛星回線の伝送容量は、費用等の制約により一般に小さく設定される。本実施形態では、衛星回線１４−３が、数Mbpsの通信に対応する狭帯域中継路であるものとする。衛星回線１４−３は、スイッチングハブ１４−４を介して、広帯域中継路１４−５と通じている。広帯域中継路１４−５は、送信側の広帯域中継路１４−１と同様にGbEの規格に準拠している。
【００３１】
図３の上段は、パケット伝送装置１２がOAM機能２８により生成するOAMパケットの一例を示す。図３の中段は、パケット伝送装置１２がCEP機能２６により生成する回線パケットの一例を示す。また、図３の下段は、それらの双方を含む送信パケットの一例を示す。尚、図３において、個々のパルスは個々のパケットを表している。また、パルスの中に示す１〜５の数字は、夫々に対応する回線ｉの番号である。
【００３２】
図３の中段に示すように、パケット伝送装置１２は、５つの回線１〜５の夫々に対応する５つの回線パケット１〜５を、２msecの送信周期で生成する。OAMパケットの送信頻度は、回線パケットの頻度より低いのが通常である。ここでは、図３の上段に示すように、回線１〜５の夫々に対応する５つのOAMパケット１〜５が、１secの送信周期で生成される。
【００３３】
図３の下段に示すように、OAMパケットは、回線パケットの間に埋め込まれる。より具体的には、回線ｉのOAMパケットｉは、回線ｉの回線パケットｉの後ろに挿入される。その結果、OAMパケットが存在する場合は、OAMパケットが存在しない場合に比して、送信パケットの密度が２倍となる。以下、送信パケットのうちOAMパケットを含む部分を「高密度領域」と称し、回線パケットだけの部分を「低密度領域」と称する。つまり、本実施形態では、１sec周期で高密度領域が生成され、高密度領域の間に２msec毎に四百九十九の低密度領域が生成される。
【００３４】
図４（Ａ）の上段は、広帯域中継路１４−１に送出された低密度領域の送信パケット、つまり回線パケットの一例を示す。また、図４（Ａ）の下段は、衛星回線１４−３に流入した後の低密度領域の回線パケットを示す。広帯域中継路１４−１と衛星回線１４−３は、伝送容量において大きく異なっている。このため、広帯域中継路１４−１を流れてきた信号が衛星回線１４−３に伝送される際には、帯域制限が課されることがある。図４（Ａ）は、低密度領域の回線パケットには帯域制限の影響が及ばず、制限の前後で回線パケットの周期が変化していない状態を示している。
【００３５】
図４（Ｂ）の上段は、広帯域中継路１４−１に送出された、高密度領域を含む送信パケットの一例を示す。また、図４（Ｂ）の下段は、上段に示す送信パケットに、衛星回線１４−３の狭帯域に起因する帯域制限が課されることで生成された波形を示す。高密度領域の送信パケットが衛星回線１４−３に流入する際には、帯域制限による送信待ちが生ずる。その結果、高密度領域の送信パケットに間延びが生じ、回線パケット１〜５の送信周期に揺らぎが生ずる。
【００３６】
図５（Ａ）は、受信側のパケット伝送装置１６に到達した低密度領域の送信パケットの一例を示す。低密度領域には、OAMパケットが含まれていない。このため、OAM分離がなされても低密度領域の送信パケットに変化は生じない。その結果、送信時と同様に、５つの回線パケット１〜５が２msec間隔で繰り返される信号が生成される。
【００３７】
図５（Ｂ）の上段は、パケット伝送装置１６に到達した後、OAMパケットが分離された後の回線パケットの一例を示す。また、図５（Ｂ）の下段は、その処理により分離されたOAMパケットの一例を示す。この例では、初回２．９msecであった回線パケット１〜５の周期が、二回目には１．４msecに変化している。この変化は、最初の５つの回線パケット１〜５に狭帯域に起因する間延びが生じたことに起因する。以下、この間延びによる周期の揺らぎを「狭帯域による揺らぎ」と称す。
【００３８】
図５（Ｂ）の上段中、最も右に位置する回線パケット１や、その隣に位置する回線パケット２には、水平方向に描かれた矢印が付されている。それらの矢印は、衛星の移動に伴う衛星回線１４−３の位置の変化に起因するドップラー効果を表している。MPLS-TPネットワークの中継路として衛星回線１４-３が用いられる場合、受信側に到達する送信パケットの周期には、ドップラー効果による揺らぎが生ずることがある。
【００３９】
以上説明した通り、送信パケットが衛星回線１４−３を経由する場合、受信側で再生される回線パケット１〜５には、狭帯域に起因する揺らぎと、ドップラー効果に起因する揺らぎが重畳する。このため、このような状況下では、受信側の回線パケット５に大きな周波数揺らぎが生ずる。
【００４０】
回線パケットの周期に生ずる揺らぎを吸収する手法としては、受信側のパケット伝送装置１６に揺らぎ吸収バッファを設ける技術が知られている。この技術によれば、受信側で再生された回線パケットは一時的に揺らぎ吸収バッファに格納され、送信側が用いる周期と同じ周期で出力される。これによれば、回線パケットに重畳するある程度の揺らぎは吸収することができる。
【００４１】
しかしながら、揺らぎ吸収バッファは、自らの許容値を超える揺らぎを吸収することができない。このため、上記の技術を用いても、受信側のパケット伝送装置１６に到達した送信パケットに大きな揺らぎが重畳している場合は、正しい周期をもつ回線パケットを受信側で再生することができない。そして、正しい回線パケットが再生できなければ、正しいデパケットが実現できず、クライアントノード１８−１〜１８−５に正しい回線信号を供給することができない。
【００４２】
［実施の形態１の特徴］
図６は、本開示の実施の形態１の特徴を説明するための全体図である。尚、図６において、図２に示す構成要素と同一の要素については、共通する符号を付してその説明を省略する。図６に示す構成は、パケット伝送装置１２、１６のネットワーク側に、パケットタイミングを生成および再生する装置４２、４４を備えている。本実施形態のシステムは、これらの装置４２，４４を備える点に特徴を有している。
【００４３】
装置４２、４４は、プロセッサユニット、記憶装置、各種インターフェース等のハードウェアに、専用のソフトウェアを組み合わせることにより実現されている。装置４２，４４は同様の機能を備えているが、ここでは、装置４２が送信側、装置４４が受信側である場合について説明する。以下、前者をパケットタイミング生成装置４２と称し、後者をパケットタイミング再生装置４４と称する。
【００４４】
図７は、パケットタイミング生成装置４２の機能を説明するための図である。図７の上段は、パケット伝送装置１２からパケットタイミング生成装置４２に、２msec毎に順次送信されてくるパケット群４５，４６，４８，５０を示している。これらのうち、パケット群４５，５０は、回線パケットと共にOAMパケットを含む高密度領域に属している。また、パケット群４６，４８は、回線パケットだけを含む低密度領域に属している。
【００４５】
パケット群４５，４６，４８，５０の内部には、回線１の回線パケットを先頭にして、回線１〜５の送信パケットがその順で並んでいる。以下、先頭に位置する回線１の回線パケット１を「基準の回線パケット」と称す。
【００４６】
図７の中段は、パケットタイミング生成装置４２によって生成される送信タイミング制御パケット５２を示している。送信タイミング制御パケット５２は、パケット群の夫々に対応して生成される。具体的には、図７上段の最も右側に位置するパケット群４５に対応して、中段の右から２番目に位置する送信タイミング制御パケット５２が生成される。同様に、パケット群４６，４８に対しては、中段の右から３番目および４番目に位置する送信タイミング制御パケット５２が生成される。以下、夫々の送信タイミング制御パケット５２に対応するパケット群を「対象パケット群」と称す。また、対象パケット群に含まれる送信パケットを「対象パケット」と称す。
【００４７】
送信タイミング制御パケット５２には、対象パケットの数と、対象パケット夫々の送信タイミングとが格納される。対象パケットの送信タイミングは、基準の回線パケットの受信時点を起点として定義される。図７の中段に示すように、送信タイミング制御パケット５２は、対応するパケット群に割り当てられた２msecの周期の末期に送信される。
【００４８】
図７の下段は、送信タイミング制御パケット５２が、パケット群４５，４６，４８，５０に重畳されて送信されている様子を示している。ここに示すように、送信タイミング制御パケット５２は、夫々の対象パケット群に続いて、その次のパケット群の直前に送信される。
【００４９】
図８は、上記の機能を実現するべくパケットタイミング生成装置４２が実行する処理の流れを説明するためのフローチャートである。図８に示す処理が開始されると、先ず、送信タイミング制御パケット５２が新規に生成される（ステップ１００）。
【００５０】
次に、回線パケットまたはOAMパケットが受信される（ステップ１０２）。
【００５１】
次いで、受信したパケットが基準の回線パケットであるか否かが判別される（ステップ１０４）。
【００５２】
その結果、基準の回線パケットであると判別された場合は、各パケットの送信タイミングをカウントするためのタイマーが、クリアの後起動される（ステップ１０６）。これにより、基準の回線パケットが受信された後の経過時間が、タイマーによりカウントされ始める。
【００５３】
続いて、送信タイミング制御パケット５２が送信される（ステップ１０８）。尚、このルーチンの開始後、初めて本ステップが実行される段階では、送信タイミング制御パケット５２に何の情報も格納されていない。この場合、そのパケットの送信は省略してもよい。
【００５４】
上記ステップ１０４で、受信したパケットが基準の回線パケットでないと判別された場合は、次に、基準の回線パケット１を含めた受信パケット数がカウントされるように、タイマーがカウントアップされる（ステップ１１２）。本ステップの処理は、新たに基準の回線パケットが受信されるまで繰り返される（ステップ１０４参照）。そのため、カウントアップの値は、最終的には対象パケットの数に到達する。
【００５５】
次に、タイマーの値から、今回のサイクルで受信した送信パケットの受信タイミングが算出される（ステップ１１４）。
【００５６】
次いで、送信タイミング制御パケットに、ステップ１１２で得た受信パケット数と、ステップ１１４で得た受信タイミングが記録される（ステップ１１６）。以後、基準の回線パケットが再び受信されるまで、ステップ１０２，１０４，１１２〜１１６の処理が繰り返される。
【００５７】
図９は、送信タイミング制御パケット５２の詳細を説明するための図である。図９の上段および中段に示すように、基準の回線パケット１が受信されると、タイマー値が０msecにクリアされる。送信タイミング制御パケット５２には、その時点で、１つ目のパケットのタイミングが０msecであること、対象パケット数が１であることが記録される。タイマー値が１．３msecの時点で１０個目のパケットであるOAMパケット５が受信される。その時点で、送信タイミング制御パケット５２には、１０個のパケット夫々の受信タイミングと、対象パケット数が１０であることとが記録されている。この送信タイミング制御パケット５２は、図９の下段に示すように、新たに基準の回線パケット１が受信された時点で送信される。
【００５８】
図１０は、受信側に配置されるパケットタイミング再生装置４４の機能を説明するための図である。具体的には、図１０（Ａ）は、衛星回線１４−３を経て伝送されてきた低密度領域の送信パケットがパケットタイミング再生装置４４で処理される様子を示している。図１０（Ａ）には低密度領域の送信パケットが、送信時の周期を維持したままパケットタイミング再生装置４４に到達する様子が示されている。
【００５９】
一方、図１０（Ｂ）は、同様の経路を経て伝送されてきた高密度領域の送信パケットがパケットタイミング再生装置４４で処理される様子を示している。図１０（Ｂ）には、高密度領域の送信パケットが、送信時に比して間延びした状態でパケットタイミング再生装置４４に到達する様子が示されている。
【００６０】
図１０（Ａ）および図１０（Ｂ）に示すように、パケットタイミング再生装置４４は、揺らぎ吸収バッファ５４と、パケット送信制御部５６とを備えている。パケットタイミング再生装置４４によって受信された送信パケットは、一時的に揺らぎ吸収バッファ５４に格納される。格納された送信パケットは、パケット送信制御部５６からの指令に従って、後段のパケット伝送装置１６に向けて送出される。
【００６１】
図９を参照して説明した通り、個々の送信タイミング制御パケット５２は、夫々の対象パケット群に続いてを送信される。このため、受信側のパケットタイミング再生装置４４が送信タイミング制御パケット５２を受信する際には、そのパケット５２の対象パケット群が既に揺らぎ吸収バッファ５４に格納されている。
【００６２】
パケット送信制御部５６は、送信タイミング制御パケット５２が受信される度に、そこから対象パケットの数と、対象パケット夫々の送信タイミングとを読み出す。そして、読み出した対象パケットの数と同じ数の送信パケットを揺らぎ吸収バッファ５４から送出させる。この際、個々の送信パケットは、読み出された送信タイミングに従って送出される。
【００６３】
つまり、本実施形態では、低密度領域か高密度領域かに関わらず、対象パケット群に属する全ての送信パケットは、対応する送信タイミング制御パケット５２が受信されるまでは待機の状態に置かれる。そして、送信タイミング制御パケット５２が受信されたら、その時点を起点に、正しい送信タイミングで個々の送信パケットが揺らぎ吸収バッファ５４から送出される。このため、パケットタイミング再生装置４４は、正しい周期のパケットと、間延びしてしまったパケットとが混在して到達する環境下でも、それらの全てについて正しい送信タイミングを再現することができる。
【００６４】
図１１（Ａ）は、パケットタイミング再生装置４４からパケット伝送装置１６に送出された低密度領域のパケット群の一例を示す。これらのパケット群は、送信時に設定された２msecの周期で繰り返し送信されている。
【００６５】
図１１（Ｂ）の上段は、パケットタイミング再生装置４４からパケット伝送装置１６に送出された後、OAMパケットが分離された後の回線パケットの一例を示す。また、図１１（Ｂ）の下段は、その処理により分離されたOAMパケットの一例を示す。パケットタイミング再生装置６４で正しい送信タイミングが再現されているため、高密度領域の回線パケットについても、２msecの周期が正しく再現されている。
【００６６】
図１２は、上記の機能を実現するべくパケットタイミング再生装置４４が実行する処理の流れを説明するためのフローチャートである。図１２に示す処理では、先ず、パケット受信の処理がなされる（ステップ１２０）。
【００６７】
次に、受信したパケットが送信タイミング制御パケット５２であるかが判別される（ステップ１２２）。
【００６８】
その結果、受信したパケットが送信タイミング制御パケット５２ではないと判別された場合は、そのパケットは、パケット伝送装置１６に送り出すべき送信パケットであると判断できる。この場合、そのパケットが揺らぎ吸収バッファ５４に格納される（ステップ１２６）。この処理が終わると、再びステップ１２０以降の処理が実行される。
【００６９】
上記ステップ１２２で、送信タイミング制御パケット５２が受信されたと判別されると、次に、当該パケットから、対象パケットの数と、対象パケット夫々の送信タイミングとが読み出される（ステップ１２４）。
【００７０】
次に、基準の送信タイミングが到来したか否かが判別される（ステップ１３０）。本実施形態では、基準の送信タイミングは、送信周期と同様に２msec毎に発生するように設定されている。
【００７１】
そして、基準の送信タイミング到来が判別されると、上記ステップ１２４で読み出された対象パケットの数だけ、同様に読み出された送信タイミングで、揺らぎ吸収バッファ５４から送信パケットが送信される。
【００７２】
以上説明した通り、本実施形態のシステムによれば、送信側で作動するパケットタイミング生成装置４２は、中継過程で周期に揺らぎが生ずる環境下で、正しい送信タイミングを再現するのに必要な情報を、送信パケットと共に受信側に提供することができる。また、受信側で作動するパケットタイミング再生装置４４は、受信したパケットの周期に揺らぎが生じていたとしても、送信側から提供される情報に基づいて、正しい送信タイミングを再現することができる。
【００７３】
パケット伝送装置１６は、送信パケットが正しい周期で送られてくれば、固定レートの回線信号を正しく再生することができる。このため、本実施形態のシステムによれば、衛星回線１４−３のような狭帯域の中継路を挟む場合でも、OAM機能を実現しつつ、送信側から受信側に、固定レートの回線信号を正しく伝えることができる。
【００７４】
［実施の形態１の変形例］
ところで、上述した実施の形態１では、MPLS-TPに準拠してパケットを伝送することとしているが、本発明は、これに限定されるものではない。パケットを伝達する手法は、MPLS-TPに限らず、イーサネット等の他のパケット伝達手法であってもよい。
【００７５】
また、上述した実施の形態１では、狭帯域の中継路として衛星回線１４−３を例示しているが、本発明はこれに限定されるものではない。本発明は、狭帯域の中継路を経由してパケットを伝送するシステム一般に適用することができる。
【００７６】
また、上述した実施の形態１では、パケットタイミング生成装置４２を送信側のパケット伝送装置１２とネットワークとの間に配置し、パケットタイミング再生装置４４を受信側のパケット伝送装置１６とネットワークとの間に配置している。しかしながら、その配置はこれに限定されるものではない。パケットタイミング生成装置４２およびパケットタイミング再生装置４４は、夫々、狭帯域の中継路の入口と出口に配置することとしてもよい。
【００７７】
また、上述した実施の形態１では、回線パケットの基準周期を２msecとしているが、この周期は単なる例示であり、本発明はこれに限定されるものではない。
【符号の説明】
【００７８】
１０−ｉ、１８−ｉ  クライアントノード
１２、１６  パケット伝送装置
１４  MPLS-TPネットワーク
１４−１、１４−５  広帯域中継路
１４−３  衛星回線
４５，４６，４８，５０  パケット群
５２  送信タイミング制御パケット
５４  揺らぎ吸収バッファ
【図１】
2022003741.tif 000003
【図２】
2022003741.tif 000004
【図３】
2022003741.tif 000005
【図４】
2022003741.tif 000006
【図５】
2022003741.tif 000007
【図６】
2022003741.tif 000008
【図７】
2022003741.tif 000009
【図８】
2022003741.tif 000010
【図９】
2022003741.tif 000011
【図１０】
2022003741.tif 000012
【図１１】
2022003741.tif 000013
【図１２】
2022003741.tif 000014